(57)【要約】【課題】スクールゾーンを変更設定することが可能となると共に、スクールゾーン内の注意喚起案内の危険度レベルを変更することが可能となる情報作成装置を提供する。【解決手段】情報配信センタ３のＣＰＵ１１は、全国の各スクールゾーンの周辺の各リンクに対応する小学生や中学生等の学生（歩行者）の通学時間帯（例えば、午前７時０分〜午前８時３０分や午後３時３０分〜午後５時０分である。）における歩行者数をセンタ側スクールゾーンＤＢ１６から読み出し、小学生や中学生等の学生（歩行者）が通行している通学リンク（通行リンク）を抽出する。そして、ＣＰＵ１１は、この通学リンクを含む所定エリア（例えば、リンクに沿った両側約５０ｍ〜１００ｍの範囲である。）を通学エリア（追加エリア）と設定して、各スクールゾーンに追加して、再度、センタ側スクールゾーンＤＢ１６に記憶する（Ｓ１１６：ＹＥＳ〜Ｓ１１８）。【選択図】図４
2008129624.tif 000002
【特許請求の範囲】
【請求項１】
学校を中心とする所定エリア内をスクールゾーンとして記憶するスクールゾーン記憶手段と、
前記スクールゾーン周辺における歩行者の移動情報を収集する移動情報収集手段と、
前記移動情報に基づいて前記スクールゾーンに追加すべき追加エリアを設定する追加エリア設定手段と、
前記スクールゾーンに前記追加エリアを追加するように制御するスクールゾーン追加制御手段と、
を備えたことを特徴とする情報作成装置。
【請求項２】
学校を中心とする所定エリア内をスクールゾーンとして記憶するスクールゾーン記憶手段と、
前記スクールゾーン内を通行する歩行者の移動情報を収集する移動情報収集手段と、
前記移動情報に基づいて前記歩行者が所定日数以上通行しない非通行エリアを設定する非通行エリア設定手段と、
前記スクールゾーンから前記非通行エリアを削除するように制御するスクールゾーン削除制御手段と、
を備えたことを特徴とする情報作成装置。
【請求項３】
ナビゲーション装置からの要求に基づいて前記ナビゲーション装置が位置する周辺の前記スクールゾーンのエリアを表すエリア情報を該ナビゲーション装置へ配信する配信手段を備えたことを特徴とする請求項１又は請求項２に記載の情報作成装置。
【請求項４】
学校を中心とする所定エリア内をスクールゾーンとして記憶するスクールゾーン記憶手段と、
前記スクールゾーン内を通行する歩行者の移動情報を収集する移動情報収集手段と、
前記移動情報に基づいて前記スクールゾーン内の各リンクに対して危険度レベルを設定する危険度レベル設定手段と、
を備えたことを特徴とする情報作成装置。
【請求項５】
前記移動情報に基づいて前記スクールゾーン内の各リンクに対して所定時間毎に通行する歩行者数を算出する歩行者数算出手段を備え、
前記危険度レベル設定手段は、前記所定時間毎に通行する歩行者数に基づいて前記危険度レベルを該スクールゾーン内の各リンクに対して該所定時間毎に設定することを特徴とする請求項４に記載の情報作成装置。
【請求項６】
前記危険度レベル設定手段は、前記スクールゾーン周辺の各リンクに対して最も低いレベルを表す最低危険度レベルを設定することを特徴とする請求項４又は請求項５に記載の情報作成装置。
【請求項７】
ナビゲーション装置からの要求に基づいて前記ナビゲーション装置が位置する周辺の前記スクールゾーン内の各リンクに対して設定された前記危険度レベルを表す危険度レベル情報を該ナビゲーション装置へ配信する配信手段を備えたことを特徴とする請求項４乃至請求項６のいずれかに記載の情報作成装置。
【請求項８】
前記移動情報収集手段は、前記歩行者が携帯するＧＰＳ機能付き端末装置から収集された端末位置情報に基づいて前記移動情報を収集することを特徴とする請求項１乃至請求項７のいずれかに記載の情報作成装置。
【発明の詳細な説明】
【技術分野】
【０００１】
本発明は、学校を中心とする所定エリア内をスクールゾーンとして設定する情報作成装置に関するものである。
【背景技術】
【０００２】
近年、学校を中心とする所定エリア内をスクールゾーンとして設定して、このスクールゾーン内の道路を走行する場合には、登校日時及び時間情報に基づいて、走行注意を喚起する案内や車両の減速制御を行う制御手段を備えた走行案内装置が提案されている（例えば、特許文献１参照。）。
【特許文献１】特開２００２−２５０６３２号公報（段落（００１６）〜（００３１）、図１〜図４）
【発明の開示】
【発明が解決しようとする課題】
【０００３】
しかしながら、上述した特許文献１に記載されるスクールゾーンは、地図データベースを作成する段階でのみ地域設定され、その後変更されるものではない。また、スクールゾーン内では一様な危険度レベルとして注意喚起の案内を設定しているが、実際にはスクールゾーン内でも歩行者が通行しない場所や時間等があり、従来技術においては必要以上に注意喚起の案内や車両の減速制御を行ってしまうという問題がある。そして、このような場合、運転者がスクールゾーンの案内等を煩わしく思ったり、注意喚起の案内を信用しなくなってしまう虞があるという問題がある。
【０００４】
そこで、本発明は、上述した問題点を解決するためになされたものであり、スクールゾーンを歩行者の通行状態に合わせて変更設定することが可能となると共に、スクールゾーン内の注意喚起案内の危険度レベルを変更することが可能となる情報作成装置を提供することを目的とする。
【課題を解決するための手段】
【０００５】
前記目的を達成するため請求項１に係る情報作成装置は、学校を中心とする所定エリア内をスクールゾーンとして記憶するスクールゾーン記憶手段（１６）と、前記スクールゾーン周辺における歩行者の移動情報を収集する移動情報収集手段（１７、５、６）と、
前記移動情報に基づいて前記スクールゾーンに追加すべき追加エリアを設定する追加エリア設定手段（１０）と、前記スクールゾーンに前記追加エリアを追加するように制御するスクールゾーン追加制御手段（１０）と、を備えたことを特徴とする。
【０００６】
また、請求項２に係る情報作成装置は、学校を中心とする所定エリア内をスクールゾーンとして記憶するスクールゾーン記憶手段（１６）と、前記スクールゾーン内を通行する歩行者の移動情報を収集する移動情報収集手段（１７、５、６）と、前記移動情報に基づいて前記歩行者が所定日数以上通行しない非通行エリアを設定する非通行エリア設定手段（１０）と、前記スクールゾーンから前記非通行エリアを削除するように制御するスクールゾーン削除制御手段（１０）と、を備えたことを特徴とする。
【０００７】
また、請求項３に係る情報作成装置は、請求項１又は請求項２に記載の情報作成装置（３）において、ナビゲーション装置からの要求に基づいて前記ナビゲーション装置が位置する周辺の前記スクールゾーンのエリアを表すエリア情報を該ナビゲーション装置へ配信する配信手段（１０、１７）を備えたことを特徴とする。
【０００８】
また、請求項４に係る情報作成装置は、学校を中心とする所定エリア内をスクールゾーンとして記憶するスクールゾーン記憶手段（１６）と、前記スクールゾーン内を通行する歩行者の移動情報を収集する移動情報収集手段（１７、５、６）と、前記移動情報に基づいて前記スクールゾーン内の各リンクに対して危険度レベルを設定する危険度レベル設定手段（１０）と、を備えたことを特徴とする。
【０００９】
また、請求項５に係る情報作成装置は、請求項４に記載の情報作成装置（３）において、前記移動情報に基づいて前記スクールゾーン内の各リンクに対して所定時間毎に通行する歩行者数を算出する歩行者数算出手段（１０）を備え、前記危険度レベル設定手段（１０）は、前記所定時間毎に通行する歩行者数に基づいて前記危険度レベルを該スクールゾーン内の各リンクに対して該所定時間毎に設定することを特徴とする。
【００１０】
また、請求項６に係る情報作成装置は、請求項４又は請求項５に記載の情報作成装置（３）において、前記危険度レベル設定手段（１０）は、前記スクールゾーン周辺の各リンクに対して最も低いレベルを表す最低危険度レベルを設定することを特徴とする。
【００１１】
また、請求項７に係る情報作成装置は、請求項４乃至請求項６のいずれかに記載の情報作成装置（３）において、ナビゲーション装置からの要求に基づいて前記ナビゲーション装置が位置する周辺の前記スクールゾーン内の各リンクに対して設定された前記危険度レベルを表す危険度レベル情報を該ナビゲーション装置へ配信する配信手段（１０、１７）を備えたことを特徴とする。
【００１２】
更に、請求項８に係る情報作成装置は、請求項１乃至請求項７のいずれかに記載の情報作成装置（３）において、前記移動情報収集手段は、前記歩行者が携帯するＧＰＳ機能付き端末装置（６）から収集された端末位置情報に基づいて前記移動情報を収集することを特徴とする。
【発明の効果】
【００１３】
前記構成を有する請求項１に係る情報作成装置では、スクールゾーン周辺における歩行者の移動情報を収集して、この移動情報に基づいてスクールゾーンに追加すべき追加エリアを設定する。そして、この追加エリアをスクールゾーンに追加して記憶する。
これにより、スクールゾーンの外から該スクールゾーン内に入ってくる歩行者（例えば、小学生や中学生等である。）の実際の通行状態に合わせてスクールゾーンのエリアを拡大して変更設定することが可能となる。
【００１４】
また、請求項２に係る情報作成装置では、スクールゾーン内を通行する歩行者の移動情報を収集して、この移動情報に基づいて歩行者が所定日数以上通行しない非通行エリアを設定する。そして、この非通行エリアをスクールゾーンから削除して記憶する。
これにより、スクールゾーン内の歩行者（例えば、小学生や中学生等である。）の実際の通行状態に合わせて、歩行者が通行しない非通行エリアをスクールゾーンから削除して変更設定することが可能となる。
【００１５】
また、請求項３に係る情報作成装置では、ナビゲーション装置からの要求に基づいて該ナビゲーション装置が位置する周辺のスクールゾーンのエリアを表すエリア情報を該ナビゲーション装置へ配信する。これにより、ナビゲーション装置は、スクールゾーン内及びスクールゾーン周辺の歩行者の通行状態に合わせて変更設定された該スクールゾーンのエリア情報を受け取ることが可能となり、より正確なスクールゾーンを報知することが可能となる。
【００１６】
また、請求項４に係る情報作成装置では、スクールゾーン内を通行する歩行者の移動情報を収集して、この移動情報に基づいてスクールゾーン内の各リンクに対して歩行者の通行注意が必要な危険度レベルを設定する。
これにより、スクールゾーン内の各リンクに対して設定された危険度レベルに対応してスクールゾーン内の注意喚起案内のレベルを変更することが可能となり、信頼性の高い注意喚起の案内を行うことが可能となる。
【００１７】
また、請求項５に係る情報作成装置では、移動情報に基づいてスクールゾーン内の各リンクに対して所定時間毎に通行する歩行者数を算出する。そして、所定時間毎に通行する歩行者数に基づいて危険度レベルを該スクールゾーン内の各リンクに対して該所定時間毎に設定する。
これにより、スクールゾーン内の各リンクに対して所定時間毎に設定された危険度レベルに対応してスクールゾーン内の注意喚起案内のレベルを変更することが可能となり、所定時間毎に更に信頼性の高い注意喚起の案内を行うことが可能となる。
【００１８】
また、請求項６に係る情報作成装置では、スクールゾーン周辺の各リンクに対して歩行者の通行注意が必要な最も低いレベルを表す最低危険度レベルを設定する。これにより、スクールゾーン内とスクールゾーン周辺とにおいて、注意喚起案内のレベルを変更することが可能となり、信頼性の高い注意喚起の案内を行うことが可能となる。
【００１９】
また、請求項７に係る情報作成装置では、ナビゲーション装置からの要求に基づいて、このナビゲーション装置が位置する周辺のスクールゾーン内の各リンクに対して設定された危険度レベルを表す危険度レベル情報を該ナビゲーション装置へ配信する。これにより、ナビゲーション装置は、ナビゲーション装置が位置する周辺のスクールゾーン内の各リンクに対して設定された危険度レベルを表す危険度レベル情報を取得して、より正確な注意喚起の案内を行うことが可能となる。
【００２０】
更に、請求項８に係る情報作成装置では、歩行者が携帯するＧＰＳ機能付き端末装置から収集された端末位置情報に基づいて移動情報を収集する。これにより、ＧＰＳ機能付き端末装置の位置情報と時刻情報とに基づいて、歩行者（例えば、小学生や中学生等である。）の通行する各リンクにおける所定時間毎の位置情報を収集することが可能となり、歩行者の正確な移動経路を基準にスクールゾーンのエリアを正確に変更設定することが可能となる。また、ＧＰＳ機能付き端末装置の位置情報と時刻情報とに基づいて、スクールゾーン内の各リンクを通行する歩行者数を所定時間毎に算出して、該各リンクに対する危険度レベルを正確に変更設定することが可能となり、より信頼性の高い注意喚起の案内を行うことが可能となる。
【発明を実施するための最良の形態】
【００２１】
以下、本発明に係る情報作成装置をナビゲーションシステムについて具体化した一実施例に基づき図面を参照しつつ詳細に説明する。
【実施例】
【００２２】
先ず、本実施例に係るナビゲーションシステム１の概略構成について図１を用いて説明する。図１は本実施例に係るナビゲーションシステム１を示したブロック図である。
【００２３】
図１に示すように本実施例に係るナビゲーションシステム１は、ナビゲーション装置２と、ナビゲーション装置２に対して地図情報を更新する為の更新情報や後述のスクールゾーンのエリアを表すエリア情報等を配信する情報作成装置としての情報配信センタ３と、ネットワーク４から基本的に構成されている。そして、ナビゲーション装置２と情報配信センタ３は、ネットワーク４を介して各種の情報の送受信が可能となるように構成されている。
【００２４】
また、このネットワーク４には、ＧＰＳサーバ５が接続され、情報配信センタ３は、ネットワーク４を介して小学生や中学生等の歩行者が通行する各リンク上における歩行者の位置情報と時刻情報とを定期的に（例えば、２４時間毎、１週間毎、１月毎等である。）受信することが可能に構成されている。
【００２５】
このＧＰＳサーバ５は、演算を行うマイクロプロセッサ、マイクロプロセッサに各処理を実行させるためのプログラム等を記憶するＲＯＭ、演算結果などの各種データを記憶するＲＡＭやハードディスク等により構成されている。
また、このＧＰＳサーバ５は、小学生や中学生等の各歩行者が携帯する携帯電話６から携帯電話回線網を介して定期的に（例えば、３０秒毎、１分毎、５分毎等である。）送信されてくる該携帯電話６の現在地及び現在時刻の情報と識別ＩＤとを受信し、この識別ＩＤに基づいて該携帯電話６を所有する歩行者を特定し、この特定した歩行者に対応させて該携帯電話６の現在地及び現在時刻をハードディスクに順次記憶する。そして、情報配信センタ３から送信要求があった場合には、ハードディスクに記憶している小学生や中学生等の各歩行者の位置情報と時刻情報を情報配信センタ３へ送信するように構成されている。
【００２６】
この小学生や中学生等の各歩行者生が携帯する携帯電話６は、携帯電話網に接続するための通信装置６Ａと、人工衛星によって発生させられた電波を受信することにより、地球上における携帯電話６のの現在地及び現在時刻を検出するＧＰＳ（Global Positioning System）６Ｂ等から構成されている。そして、携帯電話６は、携帯電話回線網を介して定期的に（例えば、３０秒毎、１分毎、５分毎等である。）ＧＰＳ６Ｂによって検出した現在地及び現在時刻とを該携帯電話６に予め付与された識別ＩＤと共にＧＰＳサーバ５へ送信する。
尚、ナビゲーション装置２の構成に関しては後に図２を用いて詳細に説明する。
【００２７】
情報配信センタ３は、図１に示すようにサーバ１０と、サーバ１０に接続された地図情報記録部としてのセンタ側地図情報データベース（センタ側地図情報ＤＢ）１４と、ナビ更新履歴情報データベース（ナビ更新履歴情報ＤＢ）１５と、センタ側スクールゾーンデータベース（センタ側スクールゾーンＤＢ）１６と、センタ側通信装置１７とを備える。また、サーバ１０は、サーバ１０の全体の制御を行う演算装置及び制御装置としてのＣＰＵ１１、並びにＣＰＵ１１が各種の演算処理を行うに当たってワーキングメモリとして使用されるＲＡＭ１２、ナビゲーション装置２からの要求に基づいてナビゲーション装置２に記憶された地図情報の内、所定エリアの地図情報を新たなバージョンの地図情報に更新する為の更新情報をセンタ側地図情報ＤＢ１４から抽出し、ナビゲーション装置２に対して配信する地図情報更新処理や、後述のスクールゾーン地域の増減設定処理やスクールゾーン危険度設定処理（図３参照）等を行うための各種の制御プログラムが記録されたＲＯＭ１３等の内部記憶装置や、時間を計測するタイマ１９を備えている。尚、ＣＰＵ１１に代えてＭＰＵ等を使用することができる。
【００２８】
また、センタ側地図情報ＤＢ１４には、情報配信センタ３で作成され、ナビゲーション装置２に記憶された地図情報を更新する際の基本となる地図情報である更新用地図情報１４Ａがバージョン毎に区分されて記憶されている。更に、現在のナビゲーション装置２に記憶される地図情報の一部又は全部を更新用地図情報１４Ａに更新する為の更新情報についても記憶されている。ここで、バージョンとは地図情報が作成された時期を特定する為の作成時期情報であり、バージョンを参照することによって地図情報が作成された時期を特定することが可能となっている。
【００２９】
また、センタ側地図情報ＤＢ１４に記憶された更新用地図情報１４Ａには、ナビゲーション装置２で経路案内及び地図表示を行うのに必要な各種情報が記録されており、例えば、地図を表示するための地図表示データ、各交差点に関する交差点データ、ノード点に関するノードデータ、施設の一種である道路（道路リンク）に関するリンクデータ、経路を探索するための探索データ、施設の一種である小学校、中学校等の各種学校、店舗等のＰＯＩ（Ｐｏｉｎｔ  ｏｆ  Ｉｎｔｅｒｅｓｔ）に関する施設データ、地点を検索するための検索データ等から構成されている。
【００３０】
ここで、特に地図表示データとしては、約１０ｋｍ×１０ｋｍで区画された２次メッシュをベースに４分割（長さ１／２）、１６分割（１／４）、６４分割（１／８）されたユニットで構成されており、各ユニットのデータ量が略同レベルになるように、各地のユニットが設定されている。最も小さい６４分割サイズのユニットは、約１．２５ｋｍ四方の大きさである。
【００３１】
また、リンクデータとしては、道路を構成する各道路リンク（以下、「リンク」という。）に関してリンクの属する道路の幅員、勾（こう）配、カント、バンク、路面の状態、道路の車線数、車線数の減少する箇所、幅員の狭くなる箇所、踏切り等を表すデータが、コーナに関して、曲率半径、交差点、Ｔ字路、コーナの入口及び出口等を表すデータが、道路属性に関して、降坂路、登坂路等を表すデータが、道路種別に関して、国道、県道、細街路等の一般道のほか、高速自動車国道、都市高速道路、一般有料道路、有料橋等の有料道路を表すデータがそれぞれ記録される。更に、有料道路に関して、有料道路の入口及び出口の取付道（ランプウェイ）、料金所（インターチェンジ）等に関するデータが記録される。
【００３２】
また、探索データとしては、設定された目的地までの経路を探索及び表示する際に使用されるデータについて記録されており、ノードを通過する際の右左折や道路を構成するリンクの距離、道幅、道路種別等によって決定される各ノードの重み付け（以下、「コスト」という。）を算出する為に使用するコストデータ、経路探索により選択された経路をナビゲーション装置２の液晶ディスプレイ２５（図２参照）の地図上に表示するための経路表示データ等から構成されている。
【００３３】
また、施設データとしては、各地域の小学校、中学校等の各種学校、ホテル、病院、ガソリンスタンド、駐車場、観光施設等のＰＯＩに関するデータがＰＯＩを特定するＩＤとともに記録される。なお、前記センタ側地図情報ＤＢ１４には、所定の情報をナビゲーション装置２のスピーカ２６（図２参照）によって出力するための音声出力データも記録される。
【００３４】
そして、情報配信センタ３は、ナビゲーション装置２からの要求があったタイミングで、センタ側地図情報ＤＢ１４に格納された更新用地図情報１４Ａの内、最もバージョンの新しい更新用地図情報１４Ａによってナビゲーション装置２に記憶された地図情報の更新を行う。
【００３５】
一方、ナビ更新履歴情報ＤＢ１５には、ナビゲーション装置２に記憶されている地図情報について現在までに更新を行った更新履歴に関する情報が、ナビゲーション装置２を特定するナビ識別ＩＤとともに記憶される。更新履歴としては、具体的に地図情報を構成するリンクデータやノードデータ毎にどのバージョンの地図情報が用いられているかが記憶されており、ナビゲーション装置２の地図情報の更新を行う毎に新たな更新履歴に書き換えられる。
【００３６】
また、センタ側スクールゾーンＤＢ１６には、各地域の幼稚園、小学校、中学校等の各学校の通学区域等を参考にして各学校を中心とする所定エリアがスクールゾーンとして格納されている。また、センタ側スクールゾーンＤＢ１６には、後述のように、該各スクールゾーン内の各リンクに対して所定時間毎に（例えば、１５分毎、３０分毎等である。）通行する歩行者数が定期的に更新されて記憶されている。
そして、後述のように、各スクールゾーン内及びスクールゾーン周辺から各スクールゾーン内の学校に通学する小学生や中学生等の歩行者の通行状態に基づいて、スクールゾーンは、拡張又は減少されて、再度、センタ側スクールゾーンＤＢ１６に格納される（図４参照）。また、センタ側スクールゾーンＤＢ１６には、各スクールゾーン内の各リンクに対して設定された危険度レベルに関するリンク情報が格納されている（図５参照）。
【００３７】
そして、情報配信センタ３は、ナビゲーション装置２から要求があったタイミングで、センタ側スクールゾーンＤＢ１６に格納された該ナビゲーション装置２の周辺に存在するスクールゾーンのエリアを表すエリア情報と該スクールゾーン内の各リンクに対して設定された危険度レベルを表す危険度レベル情報とを選択して配信する（図１０参照）。
【００３８】
また、ネットワーク４としては、例えばＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、イントラネット、携帯電話回線網、電話回線網、公衆通信回線網、専用通信回線網、インターネット等の通信回線網等の通信系を使用することができる。
【００３９】
次に、本実施例に係るナビゲーションシステム１を構成するナビゲーション装置２の概略構成について図２を用いて説明する。図２は本実施例に係るナビゲーション装置２を示したブロック図である。
【００４０】
図２に示すように本実施例に係るナビゲーション装置２は、自車の現在位置を検出する現在地検出処理部２１と、各種のデータが記録されたデータ記録部２２と、入力された情報に基づいて、各種の演算処理を行うナビゲーション制御部２３と、操作者からの操作を受け付ける操作部２４と、操作者に対して地図等の情報を表示する液晶ディスプレイ２５と、経路案内に関する音声ガイダンスを出力するスピーカ２６と、道路交通情報センタ（ＶＩＣＳ（登録商標））や情報配信センタ３等との間で携帯電話網等を介して通信を行う通信装置２７と、から構成されている。また、ナビゲーション制御部２３には自車の走行速度を検出する車速センサ２８が接続される。
【００４１】
以下に、ナビゲーション装置２を構成する各構成要素について説明すると、現在地検出処理部２１は、ＧＰＳ３１、方位センサ３２、距離センサ３３、高度計（図示せず）等からなり、現在の自車の位置、方位、目標物（例えば、交差点）までの距離等を検出することが可能となっている。
【００４２】
具体的には、ＧＰＳ３１は、人工衛星によって発生させられた電波を受信することにより、地球上における自車の現在地及び現在時刻を検出する。また、方位センサ３２は、地磁気センサやジャイロセンサ、或いは、ステアリングホイール（図示せず）の回転部に取り付けられた光学的な回転センサ、回転抵抗センサ、車輪に取り付けられた角度センサ等により構成され、自車方位を検出する。また、距離センサ３３は、例えば、自車の車輪（図示せず）の回転速度を測定し、測定した回転速度に基づいて距離を検出するセンサ、加速度を測定し、測定した加速度を２回積分して距離を検出するセンサ等から構成され、自車の移動距離を検出する。
【００４３】
また、データ記録部２２は、外部記憶装置及び記憶媒体としてのハードディスク（図示せず）と、ハードディスクに記憶されたナビ側地図情報データベース（ナビ側地図情報ＤＢ）３７、スクールゾーンデータベース（スクールゾーンＤＢ）３８及び所定のプログラム等を読み出すとともにハードディスクに所定のデータを書き込む為のドライバである記録ヘッド（図示せず）とを備えている。尚、本実施例においては、データ記録部２２の外部記憶装置及び記憶媒体としてハードディスクが使用されるが、ハードディスクのほかに、フレキシブルディスク等の磁気ディスクを外部記憶装置として使用することができる。また、メモリーカード、磁気テープ、磁気ドラム、ＣＤ、ＭＤ、ＤＶＤ、光ディスク、ＭＯ、ＩＣカード、光カード等を外部記憶装置として使用することもできる。
【００４４】
ここで、ナビ側地図情報ＤＢ３７には、ナビゲーション装置２の走行案内や経路探索に使用されるとともに情報配信センタ３による更新対象となるナビ地図情報３７Ａが格納されている。ここで、ナビ地図情報３７Ａには、更新用地図情報１４Ａと同様に経路案内及び地図表示に必要な各種情報から構成されており、例えば、各新設道路を特定するための新設道路情報、地図を表示するための地図表示データ、各交差点に関する交差点データ、ノード点に関するノードデータ、施設の一種である道路（リンク）に関するリンクデータ、経路を探索するための探索データ、施設の一種である幼稚園、小学校、中学校等の各種学校や店舗等のＰＯＩに関する施設データ、地点を検索するための検索データ等から構成されている。尚、各データの詳細については既に説明したので、ここではその詳細は省略する。そして、ナビ側地図情報ＤＢ３７の内容は、情報配信センタ３から通信装置２７を介して配信された更新情報をダウンロードすることによって更新される。
【００４５】
また、スクールゾーンＤＢ３８には、情報配信センタ３による更新対象となる各学校を中心とするスクールゾーンのエリアを表すエリア情報が格納されている。また、スクールゾーンＤＢ３８には、情報配信センタ３による更新対象となる小学生や中学生等の歩行者が通行している確率の高さを表す複数の危険度レベル（本実施例では、危険度レベル０〜危険度レベル３の４段階である。）が、各スクールゾーン内の各リンクに対して設定され、この各リンクに設定された危険度レベルを表す危険度レベル情報が格納されている。
【００４６】
また、図２に示すように、ナビゲーション装置２を構成するナビゲーション制御部２３は、ナビゲーション装置２の全体の制御を行う演算装置及び制御装置としてのＣＰＵ４１、並びにＣＰＵ４１が各種の演算処理を行うに当たってワーキングメモリとして使用されるとともに、経路が探索されたときの経路データや情報配信センタ３から受信した交通情報等が記憶されるＲＡＭ４２、制御用のプログラムのほか、後述のスクールゾーン内の走行案内処理プログラム（図１１参照）が記憶されたＲＯＭ４３、ＲＯＭ４３から読み出したプログラムを記憶するフラッシュメモリ４４等の内部記憶装置や、時間を計測するタイマ４５等を備えている。尚、前記ＲＡＭ４２、ＲＯＭ４３、フラッシュメモリ４４等としては半導体メモリ、磁気コア等が使用される。そして、演算装置及び制御装置としては、ＣＰＵ４１に代えてＭＰＵ等を使用することも可能である。
【００４７】
また、本実施例においては、前記ＲＯＭ４３に各種のプログラムが記憶され、前記データ記録部２２に各種のデータが記憶されるようになっているが、プログラム、データ等を同じ外部記憶装置、メモリーカード等からプログラム、データ等を読み出して前記フラッシュメモリ４４に書き込むこともできる。更に、メモリーカード等を交換することによって前記プログラム、データ等を更新することができる。
【００４８】
更に、前記ナビゲーション制御部２３には、操作部２４、液晶ディスプレイ２５、スピーカ２６、通信装置２７の各周辺装置（アクチュエータ）が電気的に接続されている。
この操作部２４は、走行開始時の現在地を修正し、案内開始地点としての出発地及び案内終了地点としての目的地を入力する際や施設に関する情報の検索を行う場合等に操作され、各種のキーや複数の操作スイッチから構成される。尚、操作部２４としては、キーボード、マウス等や、液晶ディスプレイ２５の前面に設けたタッチパネルによって構成することもできる。
また、液晶ディスプレイ２５には、ナビ地図情報３７Ａに基づく地図が表示されて各リンク上の交通情報が表示される経路案内画面の他、操作案内、操作メニュー、キーの案内、現在地から目的地までの誘導経路、誘導経路に沿った案内情報、交通情報等が表示される。
【００４９】
また、スピーカ２６は、ナビゲーション制御部２３からの指示に基づいて、誘導経路に沿った走行を案内する音声ガイダンス等を出力する。ここで、案内される音声ガイダンスとしては、例えば、「２００ｍ先、○○交差点を右方向です。」や「スクールゾーンを通過しています。」等がある。
そして、通信装置２７は、情報配信センタ３と通信を行う携帯電話網等による通信手段であり、情報配信センタ３との間で最もバージョンの新しい更新地図情報やスクールゾーンに関するエリア情報等の送受信を行う。また、通信装置２７は、情報配信センタ３に加えて、道路交通情報センタ（ＶＩＣＳ）等から送信された渋滞情報やサービスエリアの混雑状況等の各情報から成る交通情報を受信する。
【００５０】
次に、前記構成を有するナビゲーションシステム１において、情報配信センタ３のＣＰＵ１１が実行するスクールゾーンのエリアを表すエリア情報等を変更設定してナビゲーション装置２へ配信するスクールゾーン変更設定処理について図３乃至図１０に基づいて説明する。
図３は情報配信センタ３のＣＰＵ１１が実行するスクールゾーンに関するエリア情報等を変更設定してナビゲーション装置２へ配信するスクールゾーン変更設定処理を示すメインフローチャートである。図４は図３の「スクールゾーン地域増減設定処理」のサブ処理を示すサブフローチャートである。図７は図３の「スクールゾーン危険度設定処理」のサブ処理を示すサブフローチャートである。図１０は図３の「配信処理」のサブ処理を示すサブフローチャートである。
【００５１】
図３に示すように、先ず、ステップ（以下、Ｓと略記する）１１において、ＣＰＵ１１は、スクールゾーンのエリアを拡張又は減少する「スクールゾーン地域増減設定処理」のサブ処理を実行する。そして、Ｓ１２において、ＣＰＵ１１は、各スクールゾーン内の各リンクに対して該各リンクを通行している小学生や中学生等の歩行者数の多さ、即ち、小学生や中学生等の歩行者が存在する可能性の高さを表す複数の危険度レベル（本実施例では、危険度レベル０〜危険度レベル３の４段階である。）を設定する「スクールゾーン危険度設定処理」のサブ処理を実行する。続いて、Ｓ１３において、ＣＰＵ１１は、スクールゾーンのエリアを表すエリア情報等をナビゲーション装置２へ配信する「配信処理」のサブ処理を実行後、当該処理を終了する。
【００５２】
次に、ＣＰＵ１１が上記Ｓ１１で実行する「スクールゾーン地域増減設定処理」のサブ処理について図４乃至図６に基づいて説明する。
図４に示すように、Ｓ１１１において、ＣＰＵ１１は、センタ側スクールゾーンＤＢ１６に記憶される全国のスクールゾーンのエリア情報に基づいて、所定スクールゾーンを処理対象として設定する。そして、ＣＰＵ１１は、更新用地図情報１４Ａから当該スクールゾーン内及びスクールゾーン周辺（例えば、スクールゾーンから約１ｋｍ〜３ｋｍの範囲である。）の全リンクを順次抽出してＲＡＭ１２に記憶する。
続いて、Ｓ１１２において、ＣＰＵ１１は、センタ側スクールゾーンＤＢ１６に記憶される当該スクールゾーンのエリア情報に基づいて、一番目に抽出したリンクについて、このリンクがスクールゾーン内のリンクか否かを判定する判定処理を実行する。
そして、一番目に抽出したリンクがスクールゾーン内のリンクの場合には（Ｓ１１２：ＹＥＳ）、ＣＰＵ１１は、Ｓ１１３の処理に移行する。
Ｓ１１３において、ＣＰＵ１１は、この一番目に抽出したリンクを小学生や中学生等の学生（歩行者）が通行しているか否かを判定する判定処理を実行する。即ち、ＣＰＵ１１は、一番目に抽出したリンクに対応する小学生や中学生等の学生（歩行者）の通学時間帯（例えば、午前７時０分〜午前８時３０分や午後３時３０分〜午後５時０分である。）における歩行者数をセンタ側スクールゾーンＤＢ１６から読み出し、歩行者数が１人以上か否かを判定する判定処理を実行する。
【００５３】
尚、ＣＰＵ１１は、ネットワーク４を介してＧＰＳサーバ５から小学生や中学生等の歩行者が通行する各リンク上における歩行者の位置情報と時刻情報とを定期的に（例えば、２４時間毎、１週間毎、１月毎等である。）取得して、センタ側スクールゾーンＤＢ１６に記憶している。そして、ＣＰＵ１１は、ＧＰＳサーバ５から取得した小学生や中学生等の歩行者が通行する各リンク上における歩行者の最新の位置情報と時刻情報とから、センタ側スクールゾーンＤＢ１６に記憶されている各スクールゾーン内及びスクールゾーン周辺の各リンクに対して所定時間毎に（例えば、通学時間帯の３０分毎等である。）通行する歩行者数を算出して、各リンクに対応させてセンタ側スクールゾーンＤＢ１６に記憶する。
【００５４】
例えば、ＣＰＵ１１は、午前７時０分〜午前７時３０分、午前７時３０分〜午前８時０分、午前８時０分〜午前８時３０分、午後３時３０分〜午後４時０分、午後４時０分〜午後４時３０分、午後４時３０分〜午後５時０分等の各時間帯に通行する小学生や中学生等の歩行者数を各リンク毎に算出して、該各リンクに対応させてセンタ側スクールゾーンＤＢ１６に記憶する。従って、センタ側スクールゾーンＤＢ１６に記憶されている全国の各スクールゾーン内及びスクールゾーン周辺の各リンク上を所定時間毎に通行する歩行者数は、定期的に（例えば、２４時間毎、１週間毎、１月毎等である。）更新されている。
【００５５】
そして、一番目に抽出したリンクを小学生や中学生等の学生（歩行者）が通行している場合、即ち、一番目に抽出したリンクに対応する小学生や中学生等の学生（歩行者）の通学時間帯における歩行者数が１人以上の場合には（Ｓ１１３：ＹＥＳ）、ＣＰＵ１１は、Ｓ１１９の処理に移行する。
Ｓ１１９において、ＣＰＵ１１は、Ｓ１１１で抽出した次のリンクがあるか否かを判定する判定処理を実行する。そして、Ｓ１１１で抽出した次のリンクが無い場合には（Ｓ１１９：ＮＯ）、ＣＰＵ１１は、当該スクールゾーンの処理が終了したと判定して、次の所定スクールゾーンがあるか否かを判定し、次の所定スクールゾーンがある場合には、この次の所定スクールゾーンを処理対象として設定し、再度Ｓ１１１以降の処理を実行する。一方、次の所定スクールゾーンが無い場合には、ＣＰＵ１１は、全スクールゾーンについて当該サブ処理を実行したと判定して、ループを終了してメインフローチャートに戻り、Ｓ１２の処理に移行する。
一方、Ｓ１１１で抽出した次のリンクが有る場合には（Ｓ１１９：ＹＥＳ）、ＣＰＵ１１は、次のリンクについてＳ１１２以降のループを実行する。
【００５６】
また、Ｓ１１３で一番目に抽出したリンクを小学生や中学生等の学生（歩行者）が通行していない場合、即ち、一番目に抽出したリンクに対応する小学生や中学生等の学生（歩行者）の通学時間帯における歩行者数が０人の場合には（Ｓ１１３：ＮＯ）、ＣＰＵ１１は、Ｓ１１４の処理に移行する。
Ｓ１１４において、ＣＰＵ１１は、この一番目に抽出したリンクを小学生や中学生等の学生（歩行者）が通行していない非通行の日数が所定日数以上（例えば、７日以上、１０日以上等である。）か否かを判定する判定処理を実行する。具体的には、ＣＰＵ１１は、センタ側スクールゾーンＤＢ１６に記憶されている当該一番目のリンクの歩行者数の更新履歴を参照して、所定日数以上（例えば、７日以上、１０日以上等である。）、歩行者数が０人か否かを判定する。
【００５７】
そして、一番目に抽出したリンクを小学生や中学生等の学生（歩行者）が通行していない非通行の日数が所定日数未満の場合には（Ｓ１１４：ＮＯ）、ＣＰＵ１１は、Ｓ１１９の処理に移行して、上記Ｓ１１９の処理を実行する。
一方、一番目に抽出したリンクを小学生や中学生等の学生（歩行者）が通行していない非通行の日数が所定日数以上の場合には（Ｓ１１４：ＹＥＳ）、ＣＰＵ１１は、Ｓ１１５の処理に移行する。
【００５８】
Ｓ１１５において、ＣＰＵ１１は、この一番目に抽出したリンクは小学生や中学生等の学生（歩行者）が通行しないリンクであると判断して、一番目に抽出したリンクを含む所定エリア（例えば、リンクに沿った両側約５０ｍの範囲である。）を非通行エリアとして設定してＲＡＭ１２に記憶する。そして、ＣＰＵ１１は、一番目に抽出したリンクが含まれるスクールゾーンをセンタ側スクールゾーンＤＢ１６から読み出し、この読み出したスクールゾーンから非通行エリアの部分を削除して、再度、センタ側スクールゾーンＤＢ１６に記憶後、Ｓ１１９の処理に移行して、上記Ｓ１１９の処理を実行する。これにより、スクールゾーン内の小学生や中学生等の学生（歩行者）が通行しない非通行エリアの部分が、このスクールゾーンから削除されて、該スクールゾーンが更新される。
【００５９】
また、Ｓ１１２で一番目に抽出したリンクがスクールゾーン内のリンクでない場合、即ち、スクールゾーン周辺に存在するリンクの場合には（Ｓ１１２：ＮＯ）、ＣＰＵ１１は、Ｓ１１６の処理に移行する。
Ｓ１１６において、ＣＰＵ１１は、この一番目に抽出したリンクを小学生や中学生等の学生（歩行者）が通行しているか否かを判定する判定処理を実行する。即ち、ＣＰＵ１１は、一番目に抽出したリンクに対応する小学生や中学生等の学生（歩行者）の通学時間帯（例えば、午前７時０分〜午前８時３０分や午後３時３０分〜午後５時０分である。）における歩行者数をセンタ側スクールゾーンＤＢ１６から読み出し、歩行者数が１人以上か否かを判定する判定処理を実行する。
【００６０】
そして、一番目に抽出したリンクを小学生や中学生等の学生（歩行者）が通行していない場合、即ち、一番目に抽出したリンクに対応する小学生や中学生等の学生（歩行者）の通学時間帯における歩行者数が０人の場合には（Ｓ１１６：ＮＯ）、ＣＰＵ１１は、Ｓ１１９の処理に移行して、上記Ｓ１１９の処理を実行する。
一方、一番目に抽出したリンクを小学生や中学生等の学生（歩行者）が通行している場合、即ち、一番目に抽出したリンクに対応する小学生や中学生等の学生（歩行者）の通学時間帯における歩行者数が１人以上の場合には（Ｓ１１６：ＹＥＳ）、ＣＰＵ１１は、Ｓ１１７の処理に移行する。
【００６１】
Ｓ１１７において、ＣＰＵ１１は、この一番目に抽出したリンクを小学生や中学生等の学生（歩行者）が通行する通学リンク（通行リンク）としてＲＡＭ１２に記憶する。
そして、Ｓ１１８において、ＣＰＵ１１は、この通学リンクを含む所定エリア（例えば、リンクに沿った両側約５０ｍ〜１００ｍの範囲である。）を通学エリア（追加エリア）として設定して、当該スクールゾーンにこの通学エリア（追加エリア）の部分を追加して、再度、センタ側スクールゾーンＤＢ１６に記憶後、Ｓ１１９の処理に移行して、上記Ｓ１１９の処理を実行する。これにより、スクールゾーン周辺から当該スクールゾーン内に通学する小学生や中学生等の学生（歩行者）が通行する通学リンクを含む通学エリア（追加エリア）の部分が、このスクールゾーンに追加されて、当該スクールゾーンが更新される。
【００６２】
ここで、スクールゾーン周辺から該スクールゾーン内に通学する小学生や中学生等の学生（歩行者）が通行する通学リンクを含む通学エリア（追加エリア）が、このスクールゾーンに追加される一例について図５及び図６に基づいて説明する。
図５はスクールゾーンの外から入ってくる学生の通学路の一例を示す図である。図６はスクールゾーンに追加エリアを追加する一例を示す図である。
図５に示すように、小学校５１及び中学校５２のうち中学校５２を中心とする所定エリア内がスクールゾーン５３として初期設定されて、センタ側スクールゾーンＤＢ１６に記憶されている。また、スクールゾーン５３から約１ｋｍ外側のスクールゾーン周辺に自宅５５がある中学生（歩行者）は、ＧＰＳ機能付き携帯電話６を携帯して中学校５２に通学しており、この中学生が通学する通学路５６の位置情報と時刻情報がＧＰＳサーバ５に順次記憶されている。これにより、情報配信センタ３のＣＰＵ１１は、ネットワーク４を介してＧＰＳサーバ５からこの通学路５６上の各リンク上における中学生（歩行者）の位置情報と時刻情報とを取得し、センタ側スクールゾーンＤＢ１６に記憶する。
【００６３】
そして、図６に示すように、この中学生が通学する通学路の各リンクがスクールゾーン５３内に無い場合には（Ｓ１１２：ＮＯ）、ＣＰＵ１１は、このスクールゾーンの外側の各リンクに沿った両側約５０ｍ〜１００ｍの範囲を通学エリア（追加エリア）５８として設定する。そして、ＣＰＵ１１は、この通学エリア（追加エリア）５８をスクールゾーン５３に追加した新たなスクールゾーン６０を中学校５２を中心とするスクールゾーンとしてをセンタ側スクールゾーンＤＢ１６に記憶する（Ｓ１１７〜Ｓ１１８）。
【００６４】
次に、ＣＰＵ１１が上記Ｓ１２で実行する「スクールゾーン危険度設定処理」のサブ処理について図７乃至図９に基づいて説明する。
図７に示すように、Ｓ２１１において、ＣＰＵ１１は、センタ側スクールゾーンＤＢ１６に記憶される全国の各スクールゾーンのエリア情報に基づいて、更新用地図情報１４Ａから全国のスクールゾーン内及びスクールゾーン周辺（例えば、スクールゾーンから約１ｋｍ〜３ｋｍの範囲である。）の全リンクを順次抽出してＲＡＭ１２に記憶する。
続いて、Ｓ２１２において、ＣＰＵ１１は、センタ側スクールゾーンＤＢ１６に記憶される全国のスクールゾーンのエリア情報に基づいて、一番目に抽出したリンクについて、このリンクがスクールゾーン内のリンクか否かを判定する判定処理を実行する。
【００６５】
そして、Ｓ２１２で一番目に抽出したリンクがスクールゾーン内のリンクでない場合、即ち、スクールゾーン周辺に存在するリンクの場合には（Ｓ２１２：ＮＯ）、ＣＰＵ１１は、Ｓ２１３の処理に移行する。
Ｓ２１３において、ＣＰＵ１１は、この一番目に抽出したリンクに小学生や中学生等の歩行者の通行注意が必要な最も低いレベルを表す「危険度レベル０」を設定してセンタ側スクールゾーンＤＢ１６に記憶後、Ｓ２２１の処理に移行する。
Ｓ２２１において、ＣＰＵ１１は、Ｓ２１１で抽出した次のリンクがあるか否かを判定する判定処理を実行する。そして、Ｓ２１１で抽出した次のリンクが無い場合には（Ｓ２２１：ＮＯ）、ＣＰＵ１１は、全スクールゾーンについて当該サブ処理を実行したと判定して、ループを終了してメインフローチャートに戻り、Ｓ１３の処理に移行する。
一方、Ｓ２１１で抽出した次のリンクが有る場合には（Ｓ２２１：ＹＥＳ）、ＣＰＵ１１は、次のリンクについてＳ２１２以降のループを実行する。
【００６６】
また、Ｓ２１２で一番目に抽出したリンクがスクールゾーン内のリンクの場合には（Ｓ２１２：ＹＥＳ）、ＣＰＵ１１は、Ｓ２１４の処理に移行する。
Ｓ２１４において、この一番目に抽出したリンクの所定時間毎の各時間帯における（例えば、通学時間帯の午前７時０分〜午前７時３０分、午前７時３０分〜午前８時０分、午前８時０分〜午前８時３０分、午後３時３０分〜午後４時０分、午後４時０分〜午後４時３０分、午後４時３０分〜午後５時０分等である。）該リンクを通行する小学生や中学生等の歩行者数をセンタ側スクールゾーンＤＢ１６から読み出し、ＲＡＭ１２に記憶する。
そして、Ｓ２１５において、ＣＰＵ１１は、第１番目の所定時間帯（例えば、午前７時０分〜午前７時３０分である。）における該一番目に抽出したリンクを通行する歩行者数がＡ人以上（例えば、１０人以上である。）か否かを判定する判定処理を実行する。そして、この一番目に抽出したリンクを通行する歩行者数がＡ人以上の場合には（Ｓ２１５：ＹＥＳ）、ＣＰＵ１１は、Ｓ２１６の処理に移行する。Ｓ２１６において、ＣＰＵ１１は、一番目に抽出したリンクに対して、この第１番目の所定時間帯（例えば、午前７時０分〜午前７時３０分である。）における小学生や中学生等の歩行者の通行注意が必要な最も高いレベルを表す「危険度レベル３」を設定してセンタ側スクールゾーンＤＢ１６に記憶後、Ｓ２２０の処理に移行する。
【００６７】
Ｓ２２０において、ＣＰＵ１１は、Ｓ２１４でセンタ側スクールゾーンＤＢ１６から読み出した次の所定時間帯の該リンクを通行する小学生や中学生等の歩行者数がＲＡＭ１２に記憶されているか否か判定する判定処理を実行する。そして、ＲＡＭ１２に次の所定時間帯の該リンクを通行する小学生や中学生等の歩行者数が記憶されていない場合には（Ｓ２２０：ＮＯ）、ＣＰＵ１１は、ループを終了してＳ２２１の処理に移行し、上記Ｓ２２１の処理を実行する。
一方、ＲＡＭ１２に次の所定時間帯の該リンクを通行する小学生や中学生等の歩行者数が記憶されている場合には（Ｓ２２０：ＹＥＳ）、ＣＰＵ１１は、次の所定時間帯の該リンクを通行する小学生や中学生等の歩行者数について、Ｓ２１５以降のループを実行する。
【００６８】
また、Ｓ２１５で一番目に抽出したリンクを通行する歩行者数がＡ人未満の場合には（Ｓ２１５：ＮＯ）、ＣＰＵ１１は、Ｓ２１７の処理に移行する。Ｓ２１７において、ＣＰＵ１１は、第１番目の所定時間帯（例えば、午前７時０分〜午前７時３０分である。）における該一番目に抽出したリンクを通行する歩行者数がＢ人以上（例えば、５人以上である。）か否かを判定する判定処理を実行する。
そして、この一番目に抽出したリンクを通行する歩行者数がＢ人以上の場合には（Ｓ２１７：ＹＥＳ）、ＣＰＵ１１は、Ｓ２１８の処理に移行する。Ｓ２１８において、ＣＰＵ１１は、一番目に抽出したリンクに対して、この第１番目の所定時間帯（例えば、午前７時０分〜午前７時３０分である。）における小学生や中学生等の歩行者の通行注意が必要な「危険度レベル３」よりも低いレベルを表す「危険度レベル２」を設定してセンタ側スクールゾーンＤＢ１６に記憶後、Ｓ２２０の処理に移行して、上記Ｓ２２０の処理を実行する。
【００６９】
一方、この一番目に抽出したリンクを通行する歩行者数がＢ人未満（例えば、４人以下である。）の場合には（Ｓ２１７：ＮＯ）、ＣＰＵ１１は、Ｓ２１９の処理に移行する。Ｓ２１９において、ＣＰＵ１１は、一番目に抽出したリンクに対して、この第１番目の所定時間帯（例えば、午前７時０分〜午前７時３０分である。）における小学生や中学生等の歩行者の通行注意が必要な「危険度レベル２」よりも低いレベルを表す「危険度レベル１」を設定してセンタ側スクールゾーンＤＢ１６に記憶後、Ｓ２２０の処理に移行して、上記Ｓ２２０の処理を実行する。
【００７０】
ここで、上記図６で設定変更されたスクールゾーン６０内の通学路５６上の各リンクに危険度レベルを設定する一例を図８及び図９に基づいて説明する。
図８は自宅５５から中学校５２へ登校する中学生が、スクールゾーン６０内の通学路５６を所定時間毎に通行する各通行エリアの一例を示す図である。図９は図８の各通行エリアの所定時間毎の歩行者数に基づいて危険度レベルを設定する一例を示す図である。
図８に示すように、ＣＰＵ１１は、自宅５５から中学校５２へ登校する中学生が、スクールゾーン６０内の通学路５６を、午前７時０分〜午前８時３０分の間に通行する位置情報及び時刻情報をセンタ側スクールゾーンＤＢ１６から読み出し、ＲＡＭ１２に記憶する。そして、ＣＰＵ１１は、この中学生が通行する通学路５６の各リンクを約３０分毎に通行するリンクに区分し、午前７時０分〜午前７時３０分の間に通過する各リンクを含む所定エリア（例えば、リンクに沿った両側約５０ｍの範囲である。）を第１通行エリア６２としてＲＡＭ１２に記憶する。また、ＣＰＵ１１は、午前７時３０分〜午前８時０分の間に通過する各リンクを含む所定エリア（例えば、リンクに沿った両側約５０ｍの範囲である。）を第２通行エリア６３としてＲＡＭ１２に記憶する。また、ＣＰＵ１１は、午前８時０分〜午前８時３０分の間に通過する各リンクを含む所定エリア（例えば、リンクに沿った両側約５０ｍの範囲である。）を第３通行エリア６４としてＲＡＭ１２に記憶する。
【００７１】
そして、図９に示すように、ＣＰＵ１１は、午前７時０分〜午前７時３０分の間に、第１通行エリア６２内の各リンク上を通行する歩行者数をセンタ側スクールゾーンＤＢ１６から読み出し、この時間帯に通行する歩行者は、自宅５５から通学する中学生だけであるため、午前７時０分〜午前７時３０分の時間帯における、第１通行エリア６２内の各リンクの小学生や中学生等の歩行者の通行注意が必要なレベルを「危険度レベル１」に設定して、センタ側スクールゾーンＤＢ１６に記憶する（Ｓ２１５：ＮＯ〜Ｓ２１７：ＮＯ〜Ｓ２１９）。また、ＣＰＵ１１は、午前７時３０分〜午前８時０分の間に、第２通行エリア６３内の各リンク上を通行する歩行者数をセンタ側スクールゾーンＤＢ１６から読み出し、この時間帯に通行する歩行者数は、他のリンクを通行してきた中学生が合流して５人〜９人になることから、午前７時３０分〜午前８時０分の時間帯における、第２通行エリア６３内の各リンクの小学生や中学生等の歩行者の通行注意が必要なレベルを「危険度レベル２」に設定して、センタ側スクールゾーンＤＢ１６に記憶する（Ｓ２１５：ＮＯ〜Ｓ２１７：ＹＥＳ〜Ｓ２１８）。更に、ＣＰＵ１１は、午前８時０分〜午前８時３０分の間に、第３通行エリア６４内の各リンク上を通行する歩行者数をセンタ側スクールゾーンＤＢ１６から読み出し、この時間帯に通行する歩行者数は、他のリンクを通行してきた中学生が合流して１０人以上になることから、午前８時０分〜午前８時３０分の時間帯における、第３通行エリア６４内の各リンクの小学生や中学生等の歩行者の通行注意が必要なレベルを最も高い「危険度レベル３」に設定して、センタ側スクールゾーンＤＢ１６に記憶する（Ｓ２１５：ＹＥＳ〜Ｓ２１６）。
【００７２】
次に、ＣＰＵ１１が上記Ｓ１３で実行する「配信処理」のサブ処理について図１０に基づいて説明する。
図１０は図３の「配信処理」のサブ処理を示すサブフローチャートである。
図１０に示すように、Ｓ３１１において、ＣＰＵ１１は、ナビゲーション装置２から送信された要求コマンドと共に、ナビ識別ＩＤ、自車位置の座標データ、ナビ地図情報３７Ａのバージョン情報等の各車両情報を受信して、この各車両情報をＲＡＭ１２に記憶する。そして、ＣＰＵ１１は、この受信した要求コマンドがスクールゾーンに関するスクールゾーン情報を要求する要求コマンドか否かを判定する判定処理を実行する。
【００７３】
そして、ナビゲーション装置２から受信した要求コマンドが、スクールゾーンに関するスクールゾーン情報を要求する要求コマンドでない場合には（Ｓ３１１：ＮＯ）、ＣＰＵ１１は、当該サブ処理を終了してメインフローチャートに戻る。
一方、ナビゲーション装置２から受信した要求コマンドが、スクールゾーンに関するスクールゾーン情報を要求する要求コマンドの場合には（Ｓ３１１：ＹＥＳ）、ＣＰＵ１１は、Ｓ３１２の処理に移行する。Ｓ３１２において、ＣＰＵ１１は、ＲＡＭ１２から受信した自車位置の座標データ（例えば、緯度と経度である。）を読み出し、この自車位置周辺（例えば、自車位置から半径約２０ｋｍ以内である。）の各スクールゾーンのエリアを表すエリア情報をセンタ側スクールゾーンＤＢ１６から読み出してＲＡＭ１２に記憶する。また、ＣＰＵ１１は、この自車位置周辺の各スクールゾーン内及びスクールゾーン周辺の各リンクに設定された各危険度レベル０〜３を表す危険度レベル情報をセンタ側スクールゾーンＤＢ１６から読み出してＲＡＭ１２に記憶する。
【００７４】
続いて、Ｓ３１３において、ＣＰＵ１１は、上記Ｓ３１２でＲＡＭ１２に記憶した各スクールゾーンのエリアを表すエリア情報と、この各スクールゾーン内及びスクールゾーン周辺の各リンクに設定された各危険度レベル０〜３を表す危険度レベル情報とを、スクールゾーン情報として上記Ｓ３１１で記憶したナビ識別ＩＤで特定されるナビゲーション装置２に対して配信後、当該サブ処理を終了してメインフローチャートに戻る。
尚、このナビ識別ＩＤで特定されるナビゲーション装置２のＣＰＵ４１は、通信装置２７を介して受信した各スクールゾーンのエリアを表すエリア情報と、この各スクールゾーン内及びスクールゾーン周辺の各リンクに設定された各危険度レベル０〜３を表す危険度レベル情報とをスクールゾーンＤＢ３８に格納する。これにより、既に、スクールゾーンＤＢ３８に格納されている各スクールゾーンのエリアを表すエリア情報と、この各スクールゾーン内及びスクールゾーン周辺の各リンクに設定された各危険度レベル０〜３を表す危険度レベル情報とが更新される。
【００７５】
次に、前記構成を有するナビゲーションシステム１において、ナビゲーション装置２のＣＰＵ４１が実行するスクールゾーン内及びスクールゾーン周辺の走行案内処理について図１１に基づいて説明する。
図１１はナビゲーション装置２のＣＰＵ４１が実行するスクールゾーン内及びスクールゾーン周辺の走行案内処理を示すフローチャートである。
尚、図１１にフローチャートで示されるプログラムは、ナビゲーション装置２のＲＯＭ４３に格納されており、ＣＰＵ４１により所定時間毎（例えば、約１０ｍ秒〜約３秒毎である。）に実行される。
【００７６】
図１１に示すように、Ｓ４１１において、ＣＰＵ４１は、現在地検出処理部２１により自車の現在位置（以下、「自車位置」という。）及び自車の向きを表す自車方位を検出して、自車位置を表す座標データ（例えば、緯度と経度のデータである。）と自車方位をＲＡＭ４２に記憶する。また、ＣＰＵ４１は、車速センサ２８を介して車速を検出してＲＡＭ４２に記憶する。
続いて、Ｓ４１２において、ＣＰＵ４１は、スクールゾーンＤＢ３８に格納される各スクールゾーンのエリアを表すエリア情報とナビ地図情報３７Ａとに基づいて、自車位置がスクールゾーン内のリンク上に位置しているか否かを判定する判定処理を実行する。
【００７７】
そして、自車位置がスクールゾーン内又はスクールゾーン周辺のリンク上に位置していないと判定した場合には（Ｓ４１２：ＮＯ）、ＣＰＵ４１は、当該処理を終了する。
一方、自車位置がスクールゾーン内又はスクールゾーン周辺のリンク上に位置していると判定した場合には（Ｓ４１２：ＹＥＳ）、ＣＰＵ４１は、Ｓ４１３の処理に移行する。Ｓ４１３において、ＣＰＵ４１は、タイマ４５から現在の時刻を読み出し、小学校や中学校等へ登校又は下校する通学時間帯（例えば、午前７時０分〜午前８時３０分や午後３時３０分〜午後５時０分である。）か否かを判定する判定処理を実行する。そして、タイマ４５から読み出した時刻が通学時間帯でないと判定した場合には（Ｓ４１３：ＮＯ）、ＣＰＵ４１は、当該処理を終了する。
【００７８】
一方、タイマ４５から読み出した時刻が通学時間帯であると判定した場合には（Ｓ４１３：ＹＥＳ）、ＣＰＵ４１は、Ｓ４１４の処理に移行する。Ｓ４１４において、ＣＰＵ４１は、自車が位置するリンクに設定された危険度レベル情報が「危険度レベル１」か否かを判定する判定処理を実行する。
そして、自車が位置するリンクに設定された危険度レベル情報が「危険度レベル１」の場合には（Ｓ４１４：ＹＥＳ）、ＣＰＵ４１は、Ｓ４１５の処理に移行する。Ｓ４１５において、ＣＰＵ４１は、運転者に対してスクールゾーン内の小学生や中学生等の歩行者の通行注意を促す警告度合いを「警告レベル１」に設定して、ＲＡＭ４２に記憶する。そして、ＣＰＵ４１は、この「警告レベル１」に対応する警告処理プログラムをスクールゾーンＤＢ３８から読み出して、実行後、当該処理を終了する。
【００７９】
例えば、運転者に対してスクールゾーン内の小学生や中学生等の歩行者の通行注意を促す警告度合いが「警告レベル１」の場合には、ＣＰＵ４１は、液晶ディスプレイ２５に表示されている地図上に、スクールゾーン内に位置していることを表すスクールゾーンマーク等を表示すると共に、スピーカ２６を介して「スクールゾーンを通過しています。」等という軽く注意を促す警告を音声報知する。
尚、スクールゾーンＤＢ３８には、運転者に対してスクールゾーン内の小学生や中学生等の歩行者の通行注意を促す警告度合いを「警告レベル１」、「警告レベル２」、「警告レベル３」のそれぞれに対応する警告処理プログラムが予め格納されている。
【００８０】
一方、自車が位置するリンクに設定された危険度レベル情報が「危険度レベル１」でない場合には（Ｓ４１４：ＮＯ）、ＣＰＵ４１は、Ｓ４１６の処理に移行する。Ｓ４１６において、ＣＰＵ４１は、自車が位置するリンクに設定された危険度レベル情報が「危険度レベル２」か否かを判定する判定処理を実行する。
そして、自車が位置するリンクに設定された危険度レベル情報が「危険度レベル２」の場合には（Ｓ４１６：ＹＥＳ）、ＣＰＵ４１は、Ｓ４１７の処理に移行する。Ｓ４１７において、ＣＰＵ４１は、運転者に対してスクールゾーン内の小学生や中学生等の歩行者の通行注意を促す警告度合いを「警告レベル１」よりも高い度合いの「警告レベル２」に設定して、ＲＡＭ４２に記憶する。そして、ＣＰＵ４１は、この「警告レベル２」に対応する警告処理プログラムをスクールゾーンＤＢ３８から読み出して、実行後、当該処理を終了する。
【００８１】
例えば、運転者に対してスクールゾーン内の小学生や中学生等の歩行者の通行注意を促す警告度合いが「警告レベル２」の場合には、ＣＰＵ４１は、液晶ディスプレイ２５に表示されている地図上に、スクールゾーン内に位置していることを表すスクールゾーンマーク等を大きく表示すると共に、スピーカ２６を介して「ピッピッ」という警告音と共に、「子供の飛び出すおそれが有ります。」等という注意を促す警告をやや大きな声で音声報知する。
【００８２】
一方、自車が位置するリンクに設定された危険度レベル情報が「危険度レベル２」でない場合には（Ｓ４１６：ＮＯ）、ＣＰＵ４１は、Ｓ４１８の処理に移行する。Ｓ４１８において、ＣＰＵ４１は、運転者に対してスクールゾーン内の小学生や中学生等の歩行者の通行注意を促す警告度合いを最も高い度合いの「警告レベル３」に設定して、ＲＡＭ４２に記憶する。そして、ＣＰＵ４１は、この「警告レベル３」に対応する警告処理プログラムをスクールゾーンＤＢ３８から読み出して、実行後、当該処理を終了する。
【００８３】
例えば、運転者に対してスクールゾーン内の小学生や中学生等の歩行者の通行注意を促す警告度合いが「警告レベル３」の場合には、ＣＰＵ４１は、液晶ディスプレイ２５に表示されている地図上に、スクールゾーン内に位置していることを表すスクールゾーンマーク等を大きく表示すると共に、点滅表示する。また、スピーカ２６を介して「ピッピッ」という大きな警告音と共に、「子供に注意して下さい。」等という注意を促す警告を高音の認識しやすい大きな声で音声報知する。
更に、自車位置が交差点に達する毎に、車速センサ２８を介して車速を検出して、所定制限速度以上（例えば、時速約２０ｋｍ以上である。）の場合には、「安全のために強制的に減速させます。」という音声報知をスピーカ２６を介して出力すると共に、不図示の車両ＥＣＵ（Electronic Control Unit）を介して、車速を時速約１０ｋｍ以下に減速するようにしてもよい。
【００８４】
以上詳細に説明した通り、本実施例に係るナビゲーションシステム１では、情報配信センタ３のＣＰＵ１１は、ネットワーク４を介してＧＰＳサーバ５から小学生や中学生等の歩行者が通行する各リンク上における歩行者の位置情報と時刻情報とを定期的に（例えば、２４時間毎、１週間毎、１月毎等である。）取得して、センタ側スクールゾーンＤＢ１６に記憶している。そして、ＣＰＵ１１は、全国の各スクールゾーンの各リンクに対応する小学生や中学生等の学生（歩行者）の通学時間帯（例えば、午前７時０分〜午前８時３０分や午後３時３０分〜午後５時０分である。）における歩行者数をセンタ側スクールゾーンＤＢ１６から読み出し、小学生や中学生等の学生（歩行者）が通行していない非通行の日数が所定日数以上（例えば、７日以上、１０日以上等である。）あるリンクを抽出する。そして、この抽出した各リンクを含む所定エリア（例えば、リンクに沿った両側約５０ｍの範囲である。）を非通行エリアとして設定して、各スクールゾーンから非通行エリアの部分を削除して、再度、センタ側スクールゾーンＤＢ１６に記憶する（Ｓ１１３：ＮＯ〜Ｓ１１４：ＹＥＳ〜Ｓ１１５）。
これにより、ＣＰＵ１１は、各スクールゾーン内の小学生や中学生等の学生（歩行者）の実際の通行状態に合わせて、小学生や中学生等の学生（歩行者）が通行しない非通行エリアを、センタ側スクールゾーンＤＢ１６に記憶される各スクールゾーンから削除して変更設定することが可能となる。
【００８５】
また、ＣＰＵ１１は、全国の各スクールゾーンの周辺（例えば、スクールゾーンから約１ｋｍ〜３ｋｍの範囲である。）の各リンクに対応する小学生や中学生等の学生（歩行者）の通学時間帯（例えば、午前７時０分〜午前８時３０分や午後３時３０分〜午後５時０分である。）における歩行者数をセンタ側スクールゾーンＤＢ１６から読み出し、小学生や中学生等の学生（歩行者）が通行している通学リンク（通行リンク）を抽出する。そして、ＣＰＵ１１は、この通学リンクを含む所定エリア（例えば、リンクに沿った両側約５０ｍ〜１００ｍの範囲である。）を通学エリア（追加エリア）と設定して、各スクールゾーンに追加して、再度、センタ側スクールゾーンＤＢ１６に記憶する（Ｓ１１６：ＹＥＳ〜Ｓ１１８）。
これにより、スクールゾーンの外から該スクールゾーン内に入ってくる小学生や中学生等の学生（歩行者）の実際の通行状態に合わせて、小学生や中学生等の学生（歩行者）が通行する通学エリア（追加エリア）、センタ側スクールゾーンＤＢ１６に記憶される各スクールゾーンに追加して変更設定することが可能となる。
【００８６】
また、ＣＰＵ１１は、センタ側スクールゾーンＤＢ１６に記憶される全国の各スクールゾーンの周辺の各リンクに対して小学生や中学生等の歩行者の通行注意が必要な最も低いレベルを表す「危険度レベル０」を設定してセンタ側スクールゾーンＤＢ１６に記憶する（Ｓ２１３）。また、ＣＰＵ１１は、センタ側スクールゾーンＤＢ１６に記憶される全国の各スクールゾーン内の各リンクについて、この各リンクの所定時間毎の各時間帯における（例えば、通学時間帯の午前７時０分〜午前７時３０分、午前７時３０分〜午前８時０分、午前８時０分〜午前８時３０分、午後３時３０分〜午後４時０分、午後４時０分〜午後４時３０分、午後４時３０分〜午後５時０分等である。）該各リンクを通行する小学生や中学生等の歩行者数をセンタ側スクールゾーンＤＢ１６から読み出す。そして、ＣＰＵ１１は、この各時間帯毎に、各スクールゾーン内の各リンクについて、リンクの歩行者数がＡ人以上（例えば、１０人以上である。）の場合には、最も注意が必要な「危険度レベル３」をこの時間帯のリンクの危険度レベル情報としてセンタ側スクールゾーンＤＢ１６に記憶する（Ｓ２１６）。また、ＣＰＵ１１は、リンクの歩行者数がＢ人以上（例えば、５人以上である。）の場合には、「危険度レベル３」よりも歩行者を注意する程度が低い「危険度レベル２」をこの時間帯のリンクの危険度レベル情報としてセンタ側スクールゾーンＤＢ１６に記憶する（Ｓ２１８）。更に、ＣＰＵ１１は、リンクの歩行者数がＢ人未満（例えば、４人以下である。）の場合には、「危険度レベル２」よりも歩行者を注意する程度が低い「危険度レベル１」をこの時間帯のリンクの危険度レベル情報としてセンタ側スクールゾーンＤＢ１６に記憶する（Ｓ２１９）。
【００８７】
これにより、センタ側スクールゾーンＤＢ１６に記憶される全国の各スクールゾーン内の各リンクに対して所定時間毎の各時間帯における（例えば、通学時間帯の午前７時０分〜午前７時３０分、午前７時３０分〜午前８時０分、午前８時０分〜午前８時３０分、午後３時３０分〜午後４時０分、午後４時０分〜午後４時３０分、午後４時３０分〜午後５時０分等である。）該各リンクに設定された各危険度レベル１〜３に対応してスクールゾーン内の注意喚起案内のレベルを変更することが可能となり、所定時間毎に（例えば、通学時間帯の午前７時０分〜午前７時３０分、午前７時３０分〜午前８時０分、午前８時０分〜午前８時３０分、午後３時３０分〜午後４時０分、午後４時０分〜午後４時３０分、午後４時３０分〜午後５時０分等である。）信頼性の高い注意喚起の案内を行うことが可能となる。
また、各スクールゾーン内の各リンクには、各スクールゾーンの周辺の各リンクに設定される危険度レベル０よりも、歩行者を注意する程度が高い各危険度レベル１〜３が設定されるため、スクールゾーン内とスクールゾーン周辺とにおいて、注意喚起案内のレベルを変更することが可能となり、信頼性の高い注意喚起の案内を行うことが可能となる。
【００８８】
また、ＣＰＵ１１は、ナビゲーション装置２からスクールゾーンに関するスクールゾーン情報を要求する要求コマンド、自車位置の座標データ及びナビ識別ＩＤ等を受信した場合には、この自車位置周辺（例えば、自車位置から半径約２０ｋｍ以内である。）の各スクールゾーンのエリアを表すエリア情報と、この各スクールゾーン内及びスクールゾーン周辺の各リンクに設定された各危険度レベル０〜３を表す危険度レベル情報とを、センタ側スクールゾーンＤＢ１６から読み出して、ナビ識別ＩＤで特定されるナビゲーション装置２に対して配信する（Ｓ３１１：ＹＥＳ〜Ｓ３１３）。
これにより、ナビゲーション装置２のＣＰＵ４１は、スクールゾーン内及びスクールゾーン周辺の歩行者の通行状態に合わせて変更設定された該スクールゾーンのエリア情報と、各リンクに設定された各危険度レベル０〜３を表す危険度レベル情報とを、受け取ることが可能となり、より正確なスクールゾーンを運転者に報知することが可能となる。
【００８９】
更に、ＣＰＵ１１は、ＧＰＳサーバ５を介して、小学生や中学生等の各歩行者が携帯するＧＰＳ６Ｂの機能付き携帯電話６から収集された位置情報と時刻情報とに基づいて、小学生や中学生等の各歩行者の通行する各リンクにおける所定時間毎の位置情報を収集することが可能となり、小学生や中学生等の各歩行者の正確な移動経路を基準にスクールゾーンのエリアを正確に変更設定することが可能となる。また、ＣＰＵ１１は、ＧＰＳサーバ５を介して、小学生や中学生等の各歩行者が携帯するＧＰＳ６Ｂの機能付き携帯電話６から収集された位置情報と時刻情報とに基づいて、スクールゾーン内の各リンクを通行する小学生や中学生等の歩行者数を定期的に（例えば、２４時間毎、１週間毎、１月毎等である。）算出して、該各リンクに対する各危険度レベル１〜３を正確に変更設定することが可能となり、より信頼性の高い注意喚起の案内を行うことが可能となる。
【００９０】
尚、本発明は前記実施例に限定されるものではなく、本発明の要旨を逸脱しない範囲内で種々の改良、変形が可能であることは勿論である。
例えば、情報配信センタ３のＣＰＵ１１は、図３に示される「スクールゾーン変更設定処理」（Ｓ１１）及び「スクールゾーン危険度設定処理」（Ｓ１２）を、ネットワーク４を介してＧＰＳサーバ５から小学生や中学生等の歩行者が通行する各リンク上における歩行者の位置情報と時刻情報とを定期的に（例えば、２４時間毎、１週間毎、１月毎等である。）取得して、センタ側スクールゾーンＤＢ１６に記憶したときに実行するようにし、「配信処理」（Ｓ１３）を所定時間毎に（例えば、約１ｍｓｅｃ〜１０ｍｓｅｃ毎にである。）実行するようにしてもよい。
【図面の簡単な説明】
【００９１】
【図１】本実施例に係るナビゲーションシステムを示したブロック図である。
【図２】ナビゲーションシステムのナビゲーション装置を示したブロック図である。
【図３】情報配信センタのＣＰＵが実行するスクールゾーン変更設定処理を示すメインフローチャートである。
【図４】図３の「スクールゾーン地域増減設定処理」のサブ処理を示すサブフローチャートである。
【図５】スクールゾーンの外から入ってくる学生の通学路の一例を示す図である。
【図６】スクールゾーンに追加エリアを追加する一例を示す図である。
【図７】図３の「スクールゾーン危険度設定処理」のサブ処理を示すサブフローチャートである。
【図８】自宅から中学校へ登校する中学生が、スクールゾーン内の通学路を所定時間毎に通行する各通行エリアの一例を示す図である。
【図９】図８の各通行エリアの所定時間毎の歩行者数に基づいて危険度レベルを設定する一例を示す図である。
【図１０】図３の「配信処理」のサブ処理を示すサブフローチャートである。
【図１１】ナビゲーション装置のＣＰＵが実行するスクールゾーン内及びスクールゾーン周辺の走行案内処理を示すフローチャートである。
【符号の説明】
【００９２】
１              ナビゲーションシステム
２              ナビゲーション装置
３              情報配信センタ
４              ネットワーク
５              ＧＰＳサーバ
６              携帯電話
６Ａ、２７      通信装置
６Ｂ、３１      ＧＰＳ
１０            サーバ
１１、４１      ＣＰＵ
１２、４２      ＲＡＭ
１３、４３      ＲＯＭ
１６            センタ側スクールゾーンＤＢ
１７            センタ側通信装置
５１            小学校
５２            中学校
５３、６０      スクールゾーン
５６            通学路
５８            追加エリア
６２            第１通行エリア
６３            第２通行エリア
９４            第３通行エリア
【図１】
2008129624.tif 000003
【図２】
2008129624.tif 000004
【図３】
2008129624.tif 000005
【図４】
2008129624.tif 000006
【図５】
2008129624.tif 000007
【図６】
2008129624.tif 000008
【図７】
2008129624.tif 000009
【図８】
2008129624.tif 000010
【図９】
2008129624.tif 000011
【図１０】
2008129624.tif 000012
【図１１】
2008129624.tif 000013